(57)【特許請求の範囲】
【請求項１】
被写体を撮影する撮影装置であって、
主画像である第一の画像と前記主画像の中の注目部位の副画像である一つ以上の第二の画像とを撮影する入力部と、
前記主画像である第一の画像と前記副画像である一つ以上の第二の画像とが対応する画像であることを示す関連情報を生成する関連情報生成部と、
前記主画像である第一の画像と前記副画像である一つ以上の第二の画像と前記関連情報とを記録する記録部と、
前記主画像である第一の画像と前記副画像である一つ以上の第二の画像とを関連付けするかどうかを設定する関連付け設定部と、
を備え、
前記関連付け設定部は、撮影者が関連付け設定部のボタンを押すと関連付け設定がオンとなり、撮影者が前記ボタンを再度押すと関連付け設定がオフとなり、
前記関連情報生成部は、前記関連付け設定部が関連付けをするように設定されている間、前記入力部により前記第二の画像が撮影されるたびにその第二の画像と第一の画像との関連情報を生成することを特徴とする撮影装置。
【請求項２】
被写体を撮影する撮影方法であって、
主画像である第一の画像と前記主画像の中の注目部位の副画像である一つ以上の第二の画像とを撮影する段階と、
前記主画像である第一の画像と前記副画像である一つ以上の第二の画像とが対応する画像であることを示す関連情報を生成する段階と、
前記主画像である第一の画像と前記副画像である一つ以上の第二の画像と前記関連情報とを記録する段階と、
前記主画像である第一の画像と前記副画像である一つ以上の第二の画像とを関連付けするかどうかを設定する段階と、
を備え、
前記関連付けするかどうかを設定する段階は、撮影者が関連付け設定部のボタンを押すと関連付け設定がオンとなり、撮影者が前記ボタンを再度押すと関連付け設定がオフとなり、
前記関連情報を生成する段階は、前記関連付けするかどうかを設定する段階が関連付けをするように設定されている間、前記第二の画像が撮影されるたびにその第二の画像と第一の画像との関連情報を生成する段階を有することを特徴とする撮影方法。
【請求項３】
被写体を撮影するプログラムを記録したコンピュータ読み取り可能な記録媒体であって、前記プログラムが、
前記コンピュータに働きかけて、主画像である第一の画像と前記主画像の中の注目部位の副画像である一つ以上の第二の画像とを撮影する手順と、
前記コンピュータに働きかけて、前記主画像である第一の画像と前記副画像である一つ以上の第二の画像とが対応する画像であることを示す関連情報を生成する手順と、
前記コンピュータに働きかけて、前記主画像である第一の画像と前記副画像である一つ以上の第二の画像と前記関連情報とを記録する手順と、
前記コンピュータに働きかけて、前記主画像である第一の画像と前記副画像である一つ以上の第二の画像とを関連付けするかどうかを設定する手順と、
を備え、
前記関連付けするかどうかを設定する手順は、撮影者が関連付け設定部のボタンを押すと関連付け設定がオンとなり、撮影者が前記ボタンを再度押すと関連付け設定がオフとなり、
前記関連情報を生成する手順は、前記コンピュータに働きかけて、前記関連付けするかどうかを設定する手順が関連付けをするように設定されている間、前記第二の画像が撮影されるたびにその第二の画像と第一の画像との関連情報を生成する手順を有することを特徴とする記録媒体。
【発明の詳細な説明】
【０００１】
【発明の属する技術分野】
本発明は、撮影装置に関し、特に、第一の画像と第二の画像との対応関係を示す関連情報を生成する撮影装置に関する。
【０００２】
【従来の技術】
従来、画像から所定の画像パターンを認識する方法として、特開平８−３０５８５５号（公開日平成８年１１月２２日）は、画像を精度よくパターン認識し、分類する方法を開示している。また、特開平１０−２１３６５号（公開日平成１０年１月２３日）、特開平９−６９１１４（公開日平成９年３月１１日）は、複数の写真の管理と検索を容易にする方法を開示している。さらに、特開平６−２３３２２５号（公開日平成６年８月１９日）、特開平８−２０１９３１（公開日平成８年８月９日）は、複数の写真の識別を容易にする方法を開示している。
【０００３】
従来、目前にある複数の被写体に対しそれぞれ個別の写真を得たい場合、得たい写真ごとに撮影を行っていた。また、複数の被写体をそれぞれ撮影し、さらにこれら複数の被写体を一枚の全体写真として得たい場合、全体と一部とを別々に撮影していた。例えば、工事写真の場合、全体写真を撮った後、出来高を証明するために必要な部分を全体写真とは別に拡大写真として撮影し、全体写真と部分拡大写真とを一緒にして発注者に提出していた。
【０００４】
【発明が解決しようとする課題】
しかし、多数の写真を得たい場合に写真の数だけ撮影するのは多大な労力を要するので、例えば、工事写真においては、全体写真を１枚撮れば、必要な複数の部分写真を自動的に撮影できる技術の実現が望まれていた。また、工事写真のように写真枚数が多数になると、写真同士の対応関係が複雑になるので、写真の管理や検索に手間がかかっていた。撮影者は写真を撮影する度に写真の対応関係をメモする場合が多いが、メモを紛失したりメモを書き忘れたりすると、アルバム作成が困難となっていた。
【０００５】
そこで本発明は、上記の課題を解決することのできる撮影装置、撮影方法、及び記録媒体を提供することを目的とする。この目的は特許請求の範囲における独立項に記載の特徴の組み合わせにより達成される。また従属項は本発明のさらなる有利な具体例を規定する。
【０００６】
【課題を解決するための手段】
上記課題を解決するために、本発明の第１の形態においては、被写体を撮影する撮影装置であって、主画像である第一の画像と副画像である一つ以上の第二の画像とを撮影する入力部と、前記主画像である第一の画像と前記副画像である一つ以上の第二の画像とが対応する画像であることを示す関連情報を生成する関連情報生成部と、前記主画像である第一の画像と前記副画像である一つ以上の第二の画像と前記関連情報とを記録する記録部と、前記主画像である第一の画像と前記副画像である一つ以上の第二の画像とを関連付けするかどうかを設定する関連付け設定部とを備え、前記関連付け設定部は、撮影者が関連付け設定部のボタンを押すと関連付け設定がオンとなり、撮影者が前記ボタンを再度押すと関連付け設定がオフとなり、前記関連情報生成部は、前記関連付け設定部が関連付けをするように設定されている間、前記入力部により前記第二の画像が撮影されるたびにその第二の画像と第一の画像との関連情報を生成する。
【００１２】
本発明の第２の形態においては、被写体を撮影する撮影方法であって、主画像である第一の画像と副画像である一つ以上の第二の画像とを撮影する段階と、前記主画像である第一の画像と前記副画像である一つ以上の第二の画像とが対応する画像であることを示す関連情報を生成する段階と、前記主画像である第一の画像と前記副画像である一つ以上の第二の画像と前記関連情報とを記録する段階と、前記主画像である第一の画像と前記副画像である一つ以上の第二の画像とを関連付けするかどうかを設定する段階と、を備え、前記関連付けするかどうかを設定する段階は、撮影者が関連付け設定部のボタンを押すと関連付け設定がオンとなり、撮影者が前記ボタンを再度押すと関連付け設定がオフとなり、前記関連情報を生成する段階は、前記関連付けするかどうかを設定する段階が関連付けをするように設定されている間、前記第二の画像が撮影されるたびにその第二の画像と第一の画像との関連情報を生成する段階を有してもよい。
【００１３】
本発明の第３の形態においては、被写体を撮影するプログラムを記録したコンピュータ読み取り可能な記録媒体であって、前記プログラムが、前記コンピュータに働きかけて、主画像である第一の画像と副画像である一つ以上の第二の画像とを撮影する手順と、前記コンピュータに働きかけて、前記主画像である第一の画像と前記副画像である一つ以上の第二の画像とが対応する画像であることを示す関連情報を生成する手順と、前記コンピュータに働きかけて、前記主画像である第一の画像と前記副画像である一つ以上の第二の画像と前記関連情報とを記録する手順と、前記コンピュータに働きかけて、前記主画像である第一の画像と前記副画像である一つ以上の第二の画像とを関連付けするかどうかを設定する手順と、を備え、前記関連付けするかどうかを設定する手順は、撮影者が関連付け設定部のボタンを押すと関連付け設定がオンとなり、撮影者が前記ボタンを再度押すと関連付け設定がオフとなり、前記関連情報を生成する手順は、前記コンピュータに働きかけて、前記関連付けするかどうかを設定する手順が関連付けをするように設定されている間、前記第二の画像が撮影されるたびにその第二の画像と第一の画像との関連情報を生成する手順を有してもよい。
【００１４】
なお上記の発明の概要は、本発明の必要な特徴の全てを列挙したものではなく、これらの特徴群のサブコンビネーションもまた発明となりうる。
【００１５】
【発明の実施の形態】
以下、発明の実施の形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１６】
以下、本発明を工事現場の写真画像の撮影に用いた実施形態を説明する。本実施形態においては、全体写真（主画像）から出来高を証明するために必要な被写体を自動的に検出し、この被写体を部分拡大写真（副画像）として撮影する。そして、主画像と副画像とが対応する画像であることを示す関連情報を生成する。工事写真において、出来高を証明するために必要な被写体としては、例えば物の高さや距離の測定値を表示する定規、又は工事の内容を文字で表示する黒板等が考えられる。なお、以下に用いる「主画像」は、特許請求の範囲における「第一の画像」を示す。また、以下に用いる「副画像」は、特許請求の範囲における「第二の画像」を示す。本実施形態における撮影装置としては、スチールカメラ、静止画像を撮影できるビデオカメラ等が考えられる。
【００１７】
まず、本発明の第１実施形態を説明する。図１は、撮影装置の一例としてのデジタルカメラの構成図である。デジタルカメラには、デジタルスチールカメラや静止画像を撮影できるデジタルビデオカメラ等が含まれる。本実施形態の撮影装置は、入力部１０と領域指定部２１とメモリ部２４と関連付け設定部２６とレリーズスイッチ２８と制御ユニット３０と記録部４０と出力部５０とを備える。
【００１８】
入力部１０は、被写体を撮影して主画像と副画像とを得る。入力部１０は、レンズ１１と絞り１２とシャッター１３とカラーフィルタ１４とＣＣＤ（Charge coupled device:電荷結合素子）１５と方向調整部１６とＡ／Ｄ変換部２２とを有する。レンズ１１は被写体を結像し、絞り１２は絞り量を調整し、シャッター１３は露光時間を調整する。カラーフィルタ１４はレンズ１１を通して受光される光のＲＧＢ成分を分解する。ＣＣＤ１５はレンズ１１によって結像された被写体画像を受光して電気信号に変換する。方向調整部１６は、レンズ１１の角度を制御して撮影方向を調整する。Ａ／Ｄ変換部２２は、ＣＣＤ１５から受け取ったアナログ信号をデジタル信号に変換し、メモリ部２４に出力する。
【００１９】
メモリ部２４は入力されたデジタル信号を格納する。即ち、メモリ部２４は、入力部１０が撮像した被写体の主画像及び副画像を記憶する。関連付け設定部２６は、主画像と副画像とを関連付けするかどうかの設定（関連付け設定）をする。関連付け設定部２６としては、例えば、カメラ本体に設置するボタンやスイッチ等が考えられる。レリーズスイッチ２８は、制御ユニット３０に撮影動作の制御を開始させる信号を出力する。即ち、撮影者がレリーズスイッチ２８をオンにすると、制御ユニット３０が入力部１０を制御して被写体を撮影する。
【００２０】
制御ユニット３０は、入力部１０に対し撮影動作を制御する。即ち、制御ユニット３０は、レンズ１１のズームとフォーカスと角度、絞り１２の絞り量、シャッター１３の露光時間、及びＣＣＤ１５の信号出力のうち少なくとも一つを制御する。また、制御ユニット３０は、メモリ部２４から受け取った主画像から所定の画像パターンを有する注目部位を検出する。ここで注目部位とは、主画像の中に写る各被写体のうち、副画像として別途撮影しようとする被写体を示す。本実施形態においては、工事写真として撮影しようとする定規や黒板が注目部位である。そして、制御ユニット３０は、入力部１０に対し注目部位を副画像として撮影させる。さらに、メモリ部２４から受け取った主画像と副画像とが対応する画像であることを示す関連情報を生成する。
【００２１】
領域指定部２１は、主画像における所望の領域を指定する。撮影者が領域指定部２１を介して領域を指定した場合、制御ユニット３０は、指定された領域の位置情報を生成し、この位置情報に基づいて副画像を入力部１０に撮影させてもよい。領域指定部２１は、例えば、トラックボールやコントロールボタン等のポインティングデバイスが考えられる。領域指定部２１は、モニタ画面に張られたパネルに人間が指で触れて位置を指示するタッチパネルであってもよい。領域指定部２１は、パネル上で電子ペンを用いて位置を指示するペンタブレットであってもよい。
【００２２】
記録部４０は、制御ユニット３０から受け取った主画像、副画像、関連情報等を記録媒体に記録する。記録媒体としては、フロッピーディスク等の磁気記録媒体、メモリカード等の着脱自在な不揮発性の半導体メモリ等が考えられる。また、記録部４０は、フイルム面に磁気記録層を備えたＡＰＳ（Advanced Photo System）フイルムの磁気記録層に関連情報等を磁気的に記録してもよい。
【００２３】
出力部５０は、制御ユニット３０から受け取った主画像及び副画像を出力する。出力部５０としては、例えば主画像及び副画像を画面表示する、カメラ内蔵型の液晶モニタ等が考えられる。また、出力部５０として例えば主画像及び副画像を印刷する、カメラ内蔵の小型プリンタ等が考えられる。
【００２４】
図２は、制御ユニット３０の機能ブロック図である。制御ユニット３０は、検出部１００とパターン条件記憶部１０２と位置抽出部１０４と処理部１０６と結像制御部１０８と撮像制御部１１０と関連情報生成部１１２と文字検出部１１４と形式情報生成部１１６とを有する。検出部１００は、メモリ部２４より受け取った主画像から、パターン条件記憶部１０２より受け取る所定の画像パターン条件を満たした注目部位を検出する。パターン条件記憶部１０２は、所定の画像パターン条件を記憶する。本実施形態においては、画像パターン条件として、定規や黒板の画像パターンの特徴を定める条件をパターン条件記憶部１０２に記憶させておく。
【００２５】
位置抽出部１０４は、主画像における注目部位の位置情報を抽出する。また、撮影者が領域指定部２１を介して領域を指定した場合、生成部２４は、指定された領域の位置情報を抽出してもよい。この場合、結像制御部１０８は、位置情報に基づいて副画像を入力部１０に撮影させてもよい。位置情報としては、例えば注目部位が含まれる矩形領域の主画像における位置を示す座標が考えられる。位置抽出部１０４により抽出された位置情報は、記録部４０により主画像及び副画像とともに記録媒体に記録される。
【００２６】
位置抽出部１０４により抽出された位置情報は、出力部５０により液晶画面に表示させてもよい。例えば、出力部５０が主画像と副画像とを画面に表示するときに、出力部５０は副画像として撮影された注目部位の位置情報として主画像における座標の数値をさらに液晶画面に表示する。また例えば、出力部５０は、位置情報に基づいて、副画像として撮影された注目部位の位置を示す矩形領域を主画像の中に破線表示させてもよい。
【００２７】
このように、位置抽出部１０４が注目部位の位置情報を抽出し、記録部４０が位置情報を記録媒体に記録するので、この記録媒体に納められた画像を閲覧する者は、副画像が主画像のどの部分を撮影したものであるかを確認することができる。また、出力部５０が位置情報を液晶画面に出力するので、撮影者は、副画像が主画像のどの部分を撮影したものであるかを液晶画面上で確認することができる。
【００２８】
結像制御部１０８は、位置抽出部１０４から受け取る位置情報に基づいて、入力部１０に対し、注目部位を所定のズーム倍率で結像させる。ここで結像制御部１０８は、注目部位が副画像において所定の割合の大きさで含まれるズーム倍率で入力部１０に結像させてもよい。例えば、主画像から定規が含まれた領域を抽出する場合、定規の目盛りが読み易い程度の大きさの割合で入力部１０に結像させてもよい。また例えば、黒板を副画像として撮影する場合、黒板以外の背景はさほど必要でないので、黒板が９割程度の大きさで副画像に含まれるズーム倍率で入力部１０に結像させてもよい。
【００２９】
結像制御部１０８が入力部１０に対し所定のズーム倍率で結像させるために、レンズ１１のズームとフォーカスを制御する。また、注目部位にズームして撮影するために、結像制御部１０８はレンズ１１の角度を制御して撮影方向を調整してもよい。結像制御部１０８は、方向調整部１６に対しレンズ１１のズーム、フォーカス、及び角度のうち少なくとも一つを制御する制御信号を出力する。
【００３０】
撮像制御部１１０は、ＣＣＤ１５の信号出力を制御して入力部１０に被写体を撮像させる。主画像を撮影する場合は、レリーズスイッチ２８から撮影信号を受け取ったときにＣＣＤ１５を制御する。副画像を撮影する場合は、注目部位の結像を制御する結像制御部１０８から撮影信号を受け取ったときにＣＣＤ１５を制御する。
【００３１】
このように、本実施形態においては、所定の画像パターン条件をパターン条件記憶部１０２に記憶させておき、検出部１００が画像パターン条件を満たす注目部位を検出する。そして、結像制御部１０８が注目部位を入力部１０に結像させ、撮像制御部１１０が入力部１０に注目部位を撮影させる。したがって、例えば工事写真の場合、工事現場の全体写真を撮影すれば、自動的に定規や黒板の写真も撮影することができる。
【００３２】
処理部１０６は、メモリ部２４から受け取る主画像及び副画像のそれぞれに対しファイル名を与えて各画像のデータファイルを生成する。また、処理部１０６は、主画像及び副画像のそれぞれに対し、主画像と副画像とが対応する画像であることを示したファイル名を与えてもよい。処理部１０６は、主画像及び副画像のデータファイルを関連情報生成部１１２に出力する。
【００３３】
文字検出部１１４は、注目部位及び副画像のうち少なくとも一方から文字情報を検出する。例えば、注目部位が黒板である場合、文字検出部１１４は、黒板に表示された文字の画像を認識し、その文字を示す文字コードが含まれる文字情報を生成する。文字検出部１１４は、位置抽出部１０４から注目部位の位置情報を受け取る。文字検出部１１４は、処理部１０６から副画像を受け取る。文字情報は記録部４０により記録媒体に記録される。文字検出部１１４は、各文字の画像パターンと、各文字の画像パターンに対応する文字コードとを予め記憶する。
【００３４】
通常、黒板には工事名、工種、撮影月日、位置、設計寸法、実測寸法、立会監督員、及び略図が表示されている。このように記載項目が予め定められているので、書かれる内容は記載項目によってある程度推測できる。そこで、記載される可能性の高い文字列の画像パターンと、該画像パターンに対応する文字コードとを文字検出部１１４に記憶させておいてもよい。
【００３５】
このように、文字検出部１１４が注目部位又は副画像から文字情報を検出し、文字情報を記録部４０が記録媒体に記録するので、主画像及び副画像の閲覧者は、これらの画像が撮影された状況に関する情報を容易に得ることができる。例えば、工事写真の場合、黒板に書かれた工事名や場所等の工事の状況に関する情報が自動的に記録媒体へ記録されるので、主画像及び副画像の閲覧者は工事に関する情報を容易に得ることができる。さらに、文字検出部１１４が検出する可能性の高い文字列の画像パターンと文字コードとを文字検出部１１４に予め記憶させておくことにより、文字検出部１１４の文字認識率を高めることができる。
【００３６】
関連情報生成部１１２は、主画像と副画像とが対応する画像であることを示す関連情報を生成する。例えば関連情報生成部１１２は、関連情報を所定のデータファイルに納めて生成してもよい。また、関連情報生成部１１２は、関連情報を主画像及び副画像のうち一方又は双方の画像データ中に含めさせてもよい。
【００３７】
関連情報生成部１１２は、主画像のファイル名と副画像のファイル名とに基づいて関連情報を生成してもよい。関連情報生成部１１２は、検出部１００が主画像から注目部位を検出しなかったことを示す情報を含む関連情報を生成してもよい。関連情報生成部１１２は、位置抽出部１０４から受け取る位置情報と、主画像及び副画像の一方又は双方との対応関係に基づいて関連情報を生成してもよい。
【００３８】
関連情報生成部１１２は、文字情報と、主画像及び副画像のうち一方又は双方との対応関係に基づいて関連情報を生成してもよく、また文字情報と関連情報との対応関係を示す情報（文字関連情報）を生成してもよい。
【００３９】
このように、関連情報生成部１１２が、主画像と副画像との対応関係を示す関連情報を生成するので、主画像及び副画像の閲覧者は、主画像と副画像との対応関係を容易に把握することができる。また、主画像、副画像等が記録された記録媒体において、位置情報又は文字情報に基づいて容易に所望の画像を検索することができる。
【００４０】
形式情報生成部１１６は、主画像及び副画像を出力する場合の出力内容、配置、及び表示寸法のうち少なくともいずれかを定めた出力形式情報を関連情報に基づいて生成する。例えば工事写真の場合、形式情報生成部１１６は、提出用の工事写真アルバムの形式として出力形式情報を生成する。出力形式情報としては、例えば、画像の配置や表示寸法を定めたテンプレートファイル（ひな形ファイル）に主画像及び副画像を埋め込む形に生成してもよい。また例えば、HTML（Hyper Text Markup Language）、XML（eXtensible Markup Language）等の記述言語を用いて出力内容、配置等を定めたファイルとして出力形式情報を生成してもよい。形式情報生成部１１６は、出力形式情報に文字情報を含めさせてもよい。出力部５０は、出力形式情報に基づいて主画像及び副画像を出力してもよい。
【００４１】
図３は、本実施形態における主画像、副画像、位置情報、文字情報、及び関連情報の対応関係を示す。主画像としては、主画像００１〜００３が入力部１０により撮影される。副画像としては、副画像００１〜００５が入力部１０により撮影される。位置情報としては、位置情報００１〜００５が位置抽出部１０４により抽出される。文字情報としては、文字情報００１及び００２が文字検出部１１４により生成される。関連情報としては、関連情報００１〜００３が関連情報生成部１１２により生成される。本実施形態の関連情報は、関連情報生成部１１２により所定のデータファイルに納められて生成される。
【００４２】
副画像００１及び００２は主画像００１に含まれる注目部位を撮影した画像なので、関連情報００１には、主画像００１、副画像００１及び００２を示す情報と位置情報００１及び００２とが含められる。副画像００３〜００５は主画像００２に含まれる注目部位を撮影した画像なので、関連情報００２には、主画像００２、副画像００３〜００５を示す情報と位置情報００３〜００５とが含められる。主画像００３からは注目部位が検出されず副画像が撮影されないので、関連情報００３には主画像００３を示す情報だけが含められる。
【００４３】
文字情報００１は主画像００１に含まれる注目部位又は副画像００２から検出されるので、関連情報００１に文字情報００１を示す情報が含められる。同様に、文字情報００２は主画像００２に含まれる注目部位又は副画像００４から検出されるので、関連情報００２に文字情報００２を示す情報が含められる。関連情報００１〜００３に含められる各画像を示す情報としては、例えば、各画像が持つ固有の識別番号が考えられる。
【００４４】
このように、本実施形態においては、関連情報生成部１１２が、主画像、副画像等の対応関係を示す関連情報を生成するので、主画像及び副画像の閲覧者は、主画像と副画像との対応関係を容易に把握することができる。また、主画像、副画像等が記録された記録媒体において、位置情報又は文字情報に基づいて容易に所望の画像を検索することができる。
【００４５】
次に、第２実施形態を説明する。図４は、本実施形態における主画像、副画像、位置情報、文字情報、及び関連情報の対応関係を示す。本実施形態における主画像、副画像等の対応関係は、第１実施形態における主画像、副画像等の対応関係と同様である。ただし、本実施形態の関連情報に含められる主画像、副画像等の対応関係は、それぞれのファイル名に基づいて示される点で第１実施形態と異なる。
【００４６】
主画像００１〜００３はそれぞれファイル名としてｍａｉｎ００１．ｊｐｇ〜ｍａｉｎ００３．ｊｐｇが与えられている。副画像００１〜００５はそれぞれファイル名としてｓｕｂ００１．ｊｐｇ〜ｓｕｂ００５．ｊｐｇが与えられている。位置情報００１〜００５はそれぞれファイル名としてｌｏｃａｔｅ００１．ｔｘｔ〜ｌｏｃａｔｅ００５．ｔｘｔが与えられている。文字情報００１及び００２はそれぞれファイル名としてｃｈａｒ００１．ｔｘｔ、ｃｈａｒ００２．ｔｘｔが与えられている。関連情報００１〜００３はそれぞれファイル名としてｉｎｆｏ００１．ｔｘｔ〜ｉｎｆｏ００３．ｔｘｔが与えられている。
【００４７】
関連情報００１には、ファイル名ｍａｉｎ００１．ｊｐｇ、ｓｕｂ００１．ｊｐｇ、ｓｕｂ００２．ｊｐｇ、ｌｏｃａｔｅ００１．ｔｘｔ、ｌｏｃａｔｅ００２．ｔｘｔ、ｃｈａｒ００１．ｔｘｔの文字が含められる。関連情報００２には、ファイル名ｍａｉｎ００２．ｊｐｇ、ｓｕｂ００３．ｊｐｇ〜ｓｕｂ００５、ｌｏｃａｔｅ００３．ｔｘｔ〜ｌｏｃａｔｅ００５．ｔｘｔ、ｃｈａｒ００２．ｔｘｔの文字が含められる。関連情報００３には、ファイル名ｍａｉｎ００３．ｊｐｇの文字が含められる。
【００４８】
このように、本実施形態においては、関連情報生成部１１２が、主画像、副画像等の対応関係を示す関連情報をファイル名に基づいて生成するので、主画像及び副画像の閲覧者は、主画像と副画像との対応関係を容易に把握することができる。また、主画像、副画像等が記録された記録媒体において、ファイル名に基づいて容易に所望の画像を検索することができる。
【００４９】
次に、第３実施形態を説明する。図５は、本実施形態における主画像、副画像、文字情報及び関連情報の対応関係を示す。主画像としては、主画像００１〜００３が入力部１０により撮影される。副画像としては、副画像００１〜００５が入力部１０により撮影される。文字情報としては、文字情報００１、００２が文字検出部１１４により生成される。
【００５０】
本実施形態においては、関連情報生成部１１２が関連情報を所定のデータファイルに納めて生成するのではなく、関連情報生成部１１２が関連情報を主画像及び副画像のうち一方又は双方のデータに含めさせる。例えば、画像のデータ内にヘッダ領域を設け、対応する画像を示す情報をヘッダ領域内に含めさせてもよい。
【００５１】
副画像００１及び００２は主画像００１に含まれる注目部位を撮影した画像なので、主画像００１には、副画像００１及び００２を示す情報が含められる。また、副画像００１及び００２にはそれぞれ主画像００１を示す情報が含められる。副画像００３〜００５は主画像００２に含まれる注目部位を撮影した画像なので、主画像００２には、副画像００３〜００５を示す情報が含められる。また、副画像００３〜００５にはそれぞれ主画像００２を示す情報が含められる。主画像００３からは注目部位が検出されず副画像が撮影されないので、主画像００３には副画像を示す情報は含められない。ただし、主画像００３から注目部位が検出されなかったことを示す方法として、例えば主画像００３に主画像００３自身を示す情報を含めてもよい。
【００５２】
副画像００２からは文字情報００１が検出されるので、文字情報００１には副画像００２を示す情報が含められ、主画像００１には文字情報００１を示す情報が含められる。副画像００４からは文字情報００２が検出されるので、文字情報００２には副画像００４を示す情報が含められ、主画像００２には文字情報００２を示す情報が含められる。
【００５３】
次に、第４実施形態を説明する。図６は、本実施形態の主画像、副画像、文字情報、関連情報、及び文字関連情報との対応関係を示す。本実施形態においては、関連情報生成部１１２が文字情報と関連情報との対応関係を示す情報（文字関連情報）を所定のデータファイルとして生成する。
【００５４】
主画像としては、主画像００１〜００３が入力部１０により撮影される。副画像としては、副画像００１〜００５が入力部１０により撮影される。文字情報としては、文字情報００１及び００２が文字検出部１１４により生成される。関連情報としては、関連情報００１〜００３が関連情報生成部１１２により生成される。文字関連情報としては、文字関連情報００１〜００３が文字検出部１１４により生成される。
【００５５】
副画像００１及び００２は主画像００１に含まれる注目部位を撮影した画像なので、関連情報００１には、主画像００１と副画像００１及び００２とを示す情報が含められる。副画像００３〜００５は主画像００２に含まれる注目部位を撮影した画像なので、関連情報００２には、主画像００２と副画像００３〜００５とを示す情報が含められる。主画像００３からは注目部位が検出されず副画像が撮影されないので、関連情報００３には主画像００３を示す情報だけが含められる。
【００５６】
文字情報００１は副画像００２から検出され、また副画像００２の対応関係は関連情報００１に納められるので、文字関連情報００１には関連情報００１と文字情報００１とを示す情報が含められる。文字情報００２は副画像００４から検出され、また副画像００２の対応関係は関連情報００２に納められるので、文字関連情報００２には関連情報００２と文字情報００２とを示す情報が含められる。主画像００３からは注目部位が検出されず、文字情報も検出されないので、文字関連情報００３には関連情報００３を示す情報だけが含められる。
【００５７】
図７は、定規８０の画像パターンを示す図である。第１〜第４実施形態における画像パターンの一つは、長さを表示する定規８０の画像である。パターン条件記憶部１０２には、撮影する定規８０の画像パターンの特徴を定める画像パターン条件を記憶させておく。例えば、複数の異なる色相で配色された定規８０を撮影する場合、パターン条件記憶部１０２には、長尺状の四角形の形状、及び複数の異なる色相を有するという特徴を定規８０の画像パターン条件として記憶させておいてもよい。
【００５８】
本実施形態の場合、定規８０の第一色部８１と第三色部８３とには青色を配し、また第二色部８２には赤色を配している。この場合、まず検出部１００が主画像から長尺状の四角形の形状を有する被写体を検出する。そして、長尺状の被写体が青色と赤色との配色を有するかを検出部１００が検出する。被写体が青色と赤色との配色を有していた場合、その被写体は画像パターン条件を満たした定規であると判断される。このように、パターン条件記憶部１０２に記憶させた画像パターン条件が、複数の異なる色相を交互に配色した定規８０の特徴を定めているので、検出部１００により注目部位を容易に検出することができる。
【００５９】
なお、工事写真において撮影される定規は、物の高さ等を測るために縦に支えられて撮影される場合と、物の幅等を測るために横向きに倒されて撮影される場合とがある。これらいずれの場合であっても検出部１００が定規８０を検出できるよう、パターン条件記憶部１０２には定規８０の特徴として縦長の形状と横長の形状との双方の条件を記憶させてもよい。
【００６０】
例えば、画像パターンの内側部分の明度と異なる明度を持つ輪郭線、及び所定の位置に突形部分を含む輪郭線を有するという特徴を定規８０の画像パターン条件として記憶させておいてもよい。本実施形態の場合、定規８０の内側部分に白色を配し、定規の輪郭線８４に黒色を配している。また、輪郭線８４は、内側方向へ突出する所定間隔の目盛り線を含む。さらに、輪郭線８４及び目盛り線は太線で形成される。パターン条件記憶部１０２に記憶させた画像パターン条件が、内側部分の明度と異なる明度を持つ輪郭線８４や、目盛り線を含む輪郭線８４を有する定規８０の特徴を定めているので、検出部１００により注目部位を容易に検出することができる。
【００６１】
図８は、黒板９０の画像パターンを示す図である。第１〜第４実施形態における画像パターンの一つは、書かれた文字を表示する黒板９０の画像である。パターン条件記憶部１０２には、撮影する黒板９０の画像パターンの特徴を定める画像パターン条件を記憶させておいてもよい。例えば、長方形の輪郭形状、画像パターンの内側部分の色相と異なる色相を有する輪郭線、及び所定の位置に突形部分を有する輪郭線を有するという特徴を黒板９０の画像パターン条件として記憶させておいてもよい。
【００６２】
本実施形態の場合、黒板９０の内側部分（文字表示部９３）に濃緑色を配し、黒板９０の輪郭線９１に黄色を配している。また、輪郭線９１は、内側方向へ突出する突形部分９２ａ〜ｄを各辺の略中央にそれぞれ有する。輪郭線９１及び突形部分９２は、黒板９０の検出を容易にするため略幅広に形成される。この場合、検出部１００は、まず略横長の長方形の形状をした被写体を主画像から検出する。そして、検出部１００は、内側部分の色相と異なる色相を有する略幅広の輪郭線９１を検出する。さらに、長方形の被写体の輪郭線９１が黄色であり、また文字表示部９３が濃緑色であるかを検出する。さらに、検出部１００は、輪郭線９１の各辺略中央に略幅広の突形部分９２ａ〜ｄを有しているかを検出する。またさらに検出部１００は、輪郭線９１と突形部分９２ａ〜ｄが略幅広であるかを検出する。こうして検出部１００により検出された被写体が、黒板９０であると判断される。
【００６３】
このように、パターン条件記憶部１０２に記憶させた画像パターン条件が、内側部分の色相と異なる色相を持つ輪郭線９１、及び突形部分９２を含む輪郭線９１を有する黒板９０の特徴を定めるので、検出部１００により注目部位を容易に検出することができる。
【００６４】
図９は、主画像及び副画像の出力形式情報を示す。形式情報生成部１１６は、主画像及び副画像を出力する場合の出力内容、配置、及び表示寸法のうち少なくともいずれかを定めた出力形式情報を関連情報に基づいて生成する。本実施形態における出力形式情報は、工事写真アルバムの１ページに主画像６０と副画像６２ａ〜ｄとを図９のように配置する形式の情報を含む。また、本実施形態における出力形式情報に、主画像６０と副画像６２ａ〜ｄとをそれぞれ図９のような寸法で表示させることを示す情報を含めてもよい。
【００６５】
形式情報生成部１１６は、例えば出力形式情報を工事写真アルバム１ページにつき一つのファイルを生成し、該ファイルの中に主画像及び副画像のデータ、位置情報、文章情報、関連情報等を含めてもよい。出力形式情報を納めたファイルは、記録部４０によって記録媒体に記録される。
【００６６】
出力部５０は、図９に示す形式で主画像６０と副画像６２ａ〜ｄとを出力してもよい。例えば、出力部５０がカメラ内蔵型液晶モニタの場合は、液晶画面に図９のような配置で主画像６０と副画像６２ａ〜ｄとを表示させる。出力部５０は、液晶画面に表示された主画像６０に、副画像６２ａ〜ｄとして撮影された注目部位の領域を破線６４ａ〜ｄで表示させてもよい。また例えば、出力部５０がカメラ内蔵小型プリンタの場合は、図９のような配置で主画像６０と副画像６２ａ〜ｄとを印刷してもよい。
【００６７】
撮影者が、領域指定部２１により副画像として撮影したい領域を指定する場合、例えば領域指定部２１により指定された領域を破線６４ａ〜ｄのように液晶画面に表示させてもよい。この場合、結像制御部１０８は、破線６４ａ〜ｄで囲まれた領域を副画像６２ａ〜ｄとして入力部１０に撮影させる。
【００６８】
このように、形式情報生成部１１６が主画像及び副画像を出力する場合の出力形式情報を生成するので、例えば工事写真の場合、カメラが画像の撮影後に自動的に工事写真アルバム用のファイルを生成することができる。記録媒体の閲覧者はアルバム形式で主画像及び副画像を閲覧することができ、また閲覧者はアルバム形式で主画像及び副画像を印刷することができる。出力部５０が主画像６０を副画像６２ａ〜ｄとともに出力するので、撮影者又は印刷物の閲覧者は主画像６０と副画像６２ａ〜ｄとの対応関係を容易に把握することができる。主画像６０に副画像６２ａ〜ｄとして撮影されたおおよその領域を破線６４ａ〜ｄで表示する場合には、副画像６２ａ〜ｄを主画像６０のどの領域から撮影したのかを、撮影者又は印刷物の閲覧者が容易に把握することができる。
【００６９】
図１０は、撮影方法を示すフローチャートである。本図は、第１実施形態から第４実施形態までの撮影方法を示す。まず、撮影動作を開始し（Ｓ１００）、入力部１０が主画像を撮影する（Ｓ１０２）。次に、制御ユニット３０は主画像から注目部位を検出する（Ｓ１０４）。次に、入力部１０が注目部位を副画像として撮影する（Ｓ１０６）。
【００７０】
次に、関連情報生成部１１２は主画像と副画像とが対応する画像であることを示す関連情報を生成する（Ｓ１０８）。次に、形式情報生成部１１６は、主画像及び副画像を出力する場合の出力形式情報を生成する（Ｓ１１０）。次に、記録部４０は、主画像及び副画像を関連情報等とともに記録媒体に記録する（Ｓ１１２）。次に、出力部５０は、主画像及び副画像を出力形式情報に基づいて印刷する（Ｓ１１４）。そして、撮影動作を終了する（Ｓ１１６）。
【００７１】
図１１は、図１０における注目部位検出段階（Ｓ１０４）の詳細な動作を示すフローチャートである。まず、検出部１００が、パターン条件記憶部１０２から受け取る画像パターン条件を満たした注目部位を主画像から検出する（Ｓ１３０）。次に、位置抽出部１０４が注目部位の位置情報を主画像から抽出する（Ｓ１３４）。次に、文字検出部１１４は、主画像に含まれる注目部位から文字情報を検出する（Ｓ１３６）。次に、出力部５０は主画像を注目部位の位置情報、文字情報とともに液晶画面に表示する（Ｓ１３８）。
【００７２】
図１２は、図１０における副画像撮影段階（Ｓ１０６）の詳細な動作を示すフローチャートである。結像制御部１０８は、位置抽出部１０４から受け取った注目部位の位置情報に基づいてレンズ１１、絞り１２、シャッター１３等による画像の結像を制御する（Ｓ１５０）。次に、撮像制御部１１０は、ＣＣＤ１５による画像の撮像を制御して副画像を撮影させる（Ｓ１５２）。次に、処理部１０６は、主画像及び副画像のそれぞれに対しファイル名を与えて各画像のデータファイルを生成する。全ての注目部位に対し入力部１０が副画像を撮影するまで、Ｓ１５０からＳ１５６までの段階を繰り返す（Ｓ１５８）。
【００７３】
次に、第５実施形態を説明する。本実施形態においては、撮影者が決定した被写体を副画像として撮影し、関連情報生成部１１２は副画像が主画像と対応する画像であることを示す関連情報を生成する。図１３は、カメラ本体２００を背面側から見た外観図である。カメラ本体２００の背面に関連付け設定部２６の一例であるボタンとレリーズスイッチ２８の一例であるボタンと出力部５０とが備えられる。関連付け設定部２６のボタンを撮影者が押すと、主画像と副画像とを関連付ける設定（関連付け設定）がオンになる。撮影者が関連付け設定部２６のボタンが再度押されて関連付け設定がオフとなるまで、関連情報生成部１１２は入力部１０により副画像が撮影されるたびに副画像と主画像との関連情報を生成する。
【００７４】
レリーズスイッチ２８のボタンを撮影者が押すと、レリーズスイッチ２８は撮像制御部１１０に撮影信号を出力するので、入力部１０により被写体が撮影される。出力部５０は、カメラ内蔵型の液晶モニタである。
【００７５】
図１４は、本実施形態における撮影方法を示すフローチャートである。まず、撮影動作を開始し（Ｓ１７０）、入力部１０が主画像を撮影する（Ｓ１７２）。次に、関連付け設定部２６の関連付け設定がオンになっている間は（Ｓ１７４）、入力部１０により副画像が撮影される度に（Ｓ１７６）、副画像と主画像との関連情報が関連情報生成部１１２により生成される（Ｓ１７８）。関連付け設定部２６の関連付け設定がオフになった場合（Ｓ１７４）、形式情報生成部１１６が出力形式情報を生成する（Ｓ１８０）。次に、記録部４０は、主画像及び副画像を関連情報等とともに記録媒体に記録する（Ｓ１８２）。次に、出力部５０は、主画像及び副画像を出力形式情報に基づいて印刷する（Ｓ１８４）。そして、撮影動作を終了する（Ｓ１８６）。
【００７６】
次に、第６実施形態を説明する。本実施形態のカメラにおいては、主画像はデジタル画像データとして得られるだけでなく、同時にフイルム画像としても得られる。副画像はフイルム画像として得られる。図１５は、本実施形態のフイルム撮像部７１を備えたカメラの構成図である。本実施形態のカメラは、入力部１０と領域指定部２１とメモリ部２４と関連付け設定部２６とレリーズスイッチ２８と制御ユニット３０と記録部４０と出力部５０とを備える。入力部１０以外の構成は、第１〜５実施形態における構成と同様である。
【００７７】
入力部１０は、第一の撮像部としてのデジタル撮像部７０と第二の撮像部としてのフイルム撮像部７１とをそれぞれ異なる位置に有する。デジタル撮像部７０は、主画像及び副画像のうち少なくとも一方を光学的な情報から電気的な情報へ変換し、Ａ／Ｄ変換部２２によるＡ／Ｄ変換部でデジタル画像を得る。フイルム撮像部７１は、主画像及び副画像のうち少なくとも一方の光学的な情報をフイルムに感光させてフイルム画像を得る。
【００７８】
デジタル撮像部７０は、レンズ１１と絞り１２とシャッター１３とカラーフィルタ１４とＣＣＤ１５と方向調整部１６とを含む。本実施形態のデジタル撮像部７０の構成は、第１〜５実施形態における入力部１０に含まれる構成と同様である。フイルム撮像部７１は、フイルム用レンズ７２とフイルム用絞り７３とフイルム用シャッター７４と受光部７５とフイルム用方向調整部７６とを含む。受光部７５は、フイルム用レンズ７２、フイルム用絞り７３、及びフイルム用シャッター７４によって結像された被写体画像の光学的情報を受光してフイルムに感光させる。フイルム用方向調整部７６は、フイルム用レンズ７２の角度を制御してフイルム撮像部７１の撮影方向を調整する。フイルム用方向調整部７６は、方向調整部１６が調整するデジタル撮像部７０の撮影方向と異なる方向にフイルム撮像部７１の撮影方向を調整してもよい。
【００７９】
デジタル撮像部７０とフイルム撮像部７１とは、被写体をほぼ同時に撮影してデジタル画像とフイルム画像とを得ることができる。また、デジタル撮像部７０とフイルム撮像部７１とは、被写体をそれぞれ異なるズーム倍率で撮影することができる。
【００８０】
本実施形態によれば、主画像をデジタル撮像部７０とフイルム撮像部７１とがほぼ同時に撮影し、検出部１００により主画像から検出された注目部位を副画像としてフイルム撮像部７１が撮影する。したがって、主画像をフイルム撮影した後に、注目部位を含む副画像を自動的にフイルム撮影することができる。
【００８１】
なお、本実施形態において制御ユニット３０により生成される関連情報、位置情報、文字情報、出力形式情報は、第１〜第５実施形態において制御ユニット３０により生成される各情報と同様である。また、本実施形態において制御ユニット３０により生成される関連情報、位置情報、文字情報、出力形式情報は、記録部４０がＡＰＳフイルムの磁気記録層に記録してもよい。
【００８２】
また、他の形態として、第一の撮像部及び第二の撮像部は、一つの光学系からデジタル画像とフイルム画像との双方を得られる一つの撮像部であってもよい。他の形態として、第一の撮像部及び第二の撮像部は、それぞれが一つの光学系からデジタル画像とフイルム画像との双方を得られる別々の撮像部であってもよい。他の形態として、第一の撮像部及び第二の撮像部は、双方ともデジタル画像を得られる撮像部であってもよい。
【００８３】
次に、第７実施形態を説明する。本実施形態の基本的な構成及び動作は、図１乃至図１５に示される第１〜第６実施形態の基本的な構成及び動作と同様である。本実施形態の撮影装置は、カメラを内蔵したノート型コンピュータやカメラを内蔵した携帯型電子端末等の電子機器である。これらの場合、ノート型コンピュータや携帯型電子端末の電子計算機部分は主に制御ユニット３０として機能する。
【００８４】
図１６は、本実施形態における制御ユニット３０のハードウェア構成図である。ＣＰＵ３６はＲＯＭ３２およびＲＡＭ３４に格納されたプログラムに基づいて動作する。入力装置３１を介して操作者によりデータが入力される。入力装置３１は領域指定部２１から受け取る信号に基づいてデータを入力してもよい。ハードディスク３３は、画像等のデータ、及びＣＰＵ３６を動作させるプログラムを格納する。ＣＤ−ＲＯＭドライブ３５はＣＤ−ＲＯＭ１００からデータ又はプログラムを読み取り、ＲＡＭ３４、ハードディスク３３及びＣＰＵ３６の少なくともいずれかに提供する。
【００８５】
図１７は、ＣＰＵ３６が実行するソフトウエアの機能構成を示すブロック図である。これらのソフトウエアは、ＣＤ−ＲＯＭ１００等の記録媒体に格納されて利用者に提供される。記録媒体に格納されたソフトウエアは圧縮されていても非圧縮であってもよい。ソフトウエアは記録媒体からハードディスク３３にインストールされ、ＲＡＭ３４に読み出されてＣＰＵ３６により実行される。
【００８６】
記録媒体に格納されて提供されるソフトウエア、即ちハードディスク３３にインストールされるソフトウェアは、機能構成として検出モジュール１５０とパターン条件モジュール１５２と位置抽出モジュール１５４と処理モジュール１５６と結像制御モジュール１５８と撮像制御モジュール１６０と関連情報生成モジュール１６２と文字検出モジュール１６４と形式情報生成モジュール１６６とを備える。
【００８７】
検出モジュール１５０は、メモリ部２４より受け取った主画像から、パターン条件モジュール１５２より受け取る所定の画像パターン条件を満たした注目部位を検出する。パターン条件モジュール１５２は、所定の画像パターン条件を記憶する。位置抽出モジュール１５４は、主画像における注目部位の位置情報を抽出する。
【００８８】
結像制御モジュール１５８は、位置抽出モジュール１５４から受け取る位置情報に基づいて、入力部１０に対し、注目部位を所定のズーム倍率で結像させる。結像制御モジュール１５８が入力部１０に対し所定のズーム倍率で結像させるために、レンズ１１のズームとフォーカスを制御する。また、注目部位にズームして撮影するために、結像制御モジュール１５８はレンズ１１の角度を制御して撮影方向を調整してもよい。結像制御モジュール１５８は、方向調整部１６に対しレンズ１１のズーム、フォーカス、及び角度のうち少なくとも一つを制御する制御信号を出力する。
【００８９】
撮像制御モジュール１６０は、ＣＣＤ１５の信号出力を制御して入力部１０に被写体を撮像させる。主画像を撮影する場合は、レリーズスイッチ２８から撮影信号を受け取ったときにＣＣＤ１５を制御する。副画像を撮影する場合は、注目部位の結像を制御する結像制御モジュール１５８から撮影信号を受け取ったときにＣＣＤ１５を制御する。
【００９０】
処理モジュール１５６は、メモリ部２４から受け取る主画像及び副画像のそれぞれに対しファイル名を与えて各画像のデータファイルを生成する。処理モジュール１５６は、主画像及び副画像のデータファイルを関連情報生成モジュール１６２に出力する。文字検出モジュール１６４は、注目部位及び副画像のうち少なくとも一方から文字情報を検出する。関連情報生成モジュール１６２は、主画像と副画像とが対応する画像であることを示す関連情報を生成する。形式情報生成モジュール１６６は、主画像及び副画像を出力する場合の出力内容、配置、及び表示寸法のうち少なくともいずれかを定めた出力形式情報を関連情報に基づいて生成する。
【００９１】
記録媒体の一例としてのＣＤ−ＲＯＭ１００には、本出願で説明した処理部２０の動作の一部又は全ての機能を格納することができる。またＣＤ−ＲＯＭ１００には他の装置の動作の一部又は全ての機能を格納することができる。これらのプログラムは記録媒体から直接ＲＡＭ３４に読み出されて実行されてもよい。
【００９２】
記録媒体としては、ＣＤ−ＲＯＭ１００の他にも、ＤＶＤやＰＤ等の光学記録媒体、フロッピーディスクやミニディスク（ＭＤ）等の磁気記録媒体、ＭＯ等の光磁気記録媒体、テープ状記録媒体、不揮発性の半導体メモリカード等を用いることができる。上記のプログラムを格納した記録媒体は、画像撮影装置を製造するためにのみ使用されるものであり、そのような記録媒体の業としての製造および販売等が本出願に基づく特許権の侵害を構成することは明らかである。
【００９３】
以上のように、第１〜第７実施形態によれば、所定の画像パターン条件をパターン条件記憶部１０２に記憶させておき、検出部１００が画像パターン条件を満たす注目部位を検出し、入力部１０が注目部位を副画像として撮影する。したがって、例えば工事写真の場合、全体写真を撮影すれば自動的に定規や黒板を検出し撮影することができる。
【００９４】
また、本実施形態によれば、位置抽出部１０４が注目部位の位置情報を抽出し、記録部４０が位置情報を記録媒体に記録するので、この記録媒体に納められた画像を閲覧する者は、副画像が主画像のどの部分を撮影したものであるかを確認することができる。また、出力部５０が位置情報を液晶画面に出力するので、撮影者は、副画像が主画像のどの部分を撮影したものであるかを液晶画面上で確認することができる。
【００９５】
また、本実施形態においては、所定の画像パターン条件をパターン条件記憶部１０２に記憶させておき、検出部１００が画像パターン条件を満たす注目部位を検出する。そして、結像制御部１０８が注目部位を入力部１０に結像させ、撮像制御部１１０が入力部１０に注目部位を撮影させる。したがって、例えば工事写真の場合、工事現場の全体写真を撮影すれば、自動的に定規や黒板の写真も撮影することができる。
【００９６】
また、本実施形態によれば、文字検出部１１４が注目部位又は副画像から文字情報を検出し、文字情報を記録部４０が記録媒体に記録するので、主画像及び副画像の閲覧者は、これらの画像が撮影された状況に関する情報を容易に得ることができる。
【００９７】
また、本実施形態によれば、文字検出部１１４が検出する可能性の高い文字列の画像パターンと文字コードとを文字検出部１１４に記憶させているので、文字検出部１１４の文字認識率を高めることができる。
【００９８】
また、本実施形態によれば、関連情報生成部１１２が、主画像と副画像とが対応する画像であることを示す関連情報を生成するので、主画像及び副画像の閲覧者は、主画像と副画像との対応関係を容易に把握することができる。
【００９９】
また、本実施形態によれば、主画像、副画像、位置情報、文字情報、及び関連情報の対応関係が記録されるので、主画像及び副画像が記録された記録媒体において、位置情報又は文字情報に基づいて容易に所望の画像を検索することができる。
【０１００】
また、本実施形態によれば、形式情報生成部１１６が主画像及び副画像を出力する場合の出力形式情報を生成するので、例えば工事写真の場合、カメラが画像の撮影後に自動的に工事写真アルバム用のファイルを生成することができる。記録媒体の閲覧者はアルバム形式で主画像及び副画像を閲覧することができ、また閲覧者はアルバム形式で主画像及び副画像を印刷することができる。
【０１０１】
また、本実施形態によれば、パターン条件記憶部１０２に記憶させた画像パターン条件が、内側部分の明度と異なる明度を有する輪郭線８４や、目盛り線が書かれた輪郭線８４を有する定規８０の特徴を定めているので、検出部１００により注目部位を容易に検出することができる。
【０１０２】
また、本実施形態によれば、パターン条件記憶部１０２に記憶させた画像パターン条件が、内側部分の色相と異なる色相を有する輪郭線９１や、突形部分９２を有する輪郭線９１を有する黒板９０の特徴を定めているので、検出部１００により注目部位を容易に検出することができる。
【０１０３】
以上、本発明を実施の形態を用いて説明したが、本発明の技術的範囲は上記実施の形態に記載の範囲には限定されない。上記実施の形態に、多様な変更又は改良を加えることができることが当業者に明らかである。その様な変更又は改良を加えた形態も本発明の技術的範囲に含まれ得ることが、特許請求の範囲の記載から明らかである。
【発明の効果】
上記の説明から明らかなように、本発明によれば、主画像と副画像との対応関係を容易に把握することができる。
【図面の簡単な説明】
【図１】デジタルカメラの構成図である。
【図２】制御ユニット３０の機能ブロック図である。
【図３】第１実施形態における主画像、副画像、位置情報、文字情報、及び関連情報の対応関係を示す。
【図４】第２実施形態における主画像、副画像、位置情報、文字情報、及び関連情報の対応関係を示す。
【図５】第３実施形態における主画像、副画像、文字情報、及び関連情報の対応関係を示す。
【図６】第４実施形態における主画像、副画像、文字情報、関連情報、及び文字関連情報の対応関係を示す。
【図７】定規８０の画像パターンを示す図である。
【図８】黒板９０の画像パターンを示す図である。
【図９】主画像及び副画像の出力形式情報を示す。
【図１０】撮影方法を示すフローチャートである。
【図１１】図１０における第１〜４実施形態の注目部位検出段階（Ｓ１０４）の詳細な動作を示すフローチャートである。
【図１２】図１０における第１〜４実施形態の副画像撮影段階（Ｓ１０６）の詳細な動作を示すフローチャートである。
【図１３】第５実施形態におけるカメラ本体２００の外観図である。
【図１４】第５実施形態における撮影方法を示すフローチャートである。
【図１５】第６実施形態におけるフイルム撮像部７１を備えたカメラの構成図である。
【図１６】第７実施形態における制御ユニット３０のハードウェア構成図である。
【図１７】第７実施形態におけるＣＰＵ３６が実行するソフトウエアの機能構成を示すブロック図である。
【符号の説明】
１０  入力部
１１  レンズ
１２  絞り
１３  シャッター
１４  カラーフィルタ
１５  ＣＣＤ
１６  方向調整部
２１  領域指定部
２２  Ａ／Ｄ変換部
２４  メモリ部
２６  関連付け設定部
２８  レリーズスイッチ
３０  制御ユニット
４０  記録部
５０  出力部
６０  主画像
６２  副画像
６４  破線
７０  デジタル撮像部
７１  フイルム撮像部
７２  フイルム用レンズ
７３  フイルム用絞り
７４  フイルム用シャッター
７５  受光部
７６  フイルム用方向調整部
８０  定規
８１  第一色部
８２  第二色部
８３  第三色部
８４  輪郭線
９０  黒板
９１  輪郭線
９２  突形部分
９３  文字表示部
１００  検出部
１０２  パターン条件記憶部
１０４  位置抽出部
１０６  処理部
１０８  結像制御部
１１０  撮像制御部
１１２  関連情報生成部
１１４  文字検出部
１１６  形式情報生成部
２００  カメラ本体
【図１】
0004554007.tif 000002
【図２】
0004554007.tif 000003
【図３】
0004554007.tif 000004
【図４】
0004554007.tif 000005
【図５】
0004554007.tif 000006
【図６】
0004554007.tif 000007
【図７】
0004554007.tif 000008
【図８】
0004554007.tif 000009
【図９】
0004554007.tif 000010
【図１０】
0004554007.tif 000011
【図１１】
0004554007.tif 000012
【図１２】
0004554007.tif 000013
【図１３】
0004554007.tif 000014
【図１４】
0004554007.tif 000015
【図１５】
0004554007.tif 000016
【図１６】
0004554007.tif 000017
【図１７】
0004554007.tif 000018